(57)【要約】      （修正有）【課題】子供にとって、様々な方法で遊ぶことができる子供用三輪車の荷台を提供する。【解決手段】子供用三輪車１０の荷台２１は、子供用三輪車１０の後方に設けられる。子供用三輪車１０の荷台２１は、平板状の底板部と、底板部の前方側側面から上方向に延びる支持部３１と、底板部上に載置され、支持部３１に対して着脱自在であって、その内部に荷物を収納可能な鞄部５２とを備える。こうすることにより、子供にとって、鞄部５２を子供用三輪車１０に取り付けた状態で遊ぶことができると共に、鞄部５２を子供用三輪車１０から取り外して、鞄部５２のみで遊ぶこともできる。【選択図】図１
2012106594.tif 000002
【特許請求の範囲】
【請求項１】
子供用三輪車の後方に設けられる子供用三輪車の荷台であって、
平板状の底板部と、
前記底板部の前方側側面から上方向に延びる支持部と、
前記底板部上に載置され、前記支持部に対して着脱自在であって、その内部に荷物を収納可能な鞄部とを備える、子供用三輪車の荷台。
【請求項２】
前記鞄部には、前方側側面にベルト部が取り付けられており、
前記鞄部は、前記ベルト部と前記鞄部の前方側側面とで前記支持部を挟むことによって、前記支持部に前記鞄部を取り付ける、請求項１に記載の子供用三輪車の荷台。
【請求項３】
前記ベルト部には、マジックテープの一方側の部材が取り付けられており、
前記鞄部の前方側側面には、前記マジックテープの他方側の部材が取り付けられており、
前記支持部を挟んで前記マジックテープの一方側の部材と他方側の部材とを貼り合せることにより、前記支持部に前記鞄部を取り付ける、請求項２に記載の子供用三輪車の荷台。
【請求項４】
子供用三輪車の後方に設けられる荷台を有する子供用三輪車であって、
前記荷台は、
平板状の底板部と、
前記底板部の前方側側面から上方向に延びる支持部と、
前記底板部上に載置され、前記支持部に対して着脱自在であって、その内部に荷物を収納可能な鞄部とを備える、子供用三輪車。
【発明の詳細な説明】
【技術分野】
【０００１】
この発明は、子供用三輪車の荷台、および子供用三輪車に関するものであって、特に、後方に設けられる子供用三輪車の荷台、およびこのような荷台を有する子供用三輪車に関するものである。
【背景技術】
【０００２】
荷台を備えた子供用三輪車が、例えば、特開２００９−２１４７７８号公報（特許文献１）に開示されている。図７は、特許文献１に開示の子供用三輪車に備えられた荷台を示す図である。図７を参照して、特許文献１によると、荷台１００は、支持枠１０１と、支持枠１０１に回動可能に支持された底板部１０２と、底板部１０２の直上に位置し、支持枠１０１に回動可能に支持された枠部１０３と、底板部１０２と枠部１０３とに対して、着脱可能に取り付けられた布等からなる筒状のカバー部１０４とから構成される。
【０００３】
そして、荷台１００の三輪車フレーム（図示せず）への取り付けは、支持枠１０１にねじ孔１０５を設け、このねじ孔１０５にボルトを貫通させてノブナットを螺合することにより、支持枠１０１を三輪車フレームに連結固定することとしている。
【先行技術文献】
【特許文献】
【０００４】
【特許文献１】特開２００９−２１４７７８号公報（段落番号００１７〜００２１）
【発明の概要】
【発明が解決しようとする課題】
【０００５】
しかしながら、特許文献１に開示されているような荷台では、子供にとって、子供用三輪車に取り付けられた状態で遊ぶのみとなり、荷台自体を取り外して、子供の遊びに利用することは困難である。
【０００６】
この発明の目的は、子供にとって、様々な方法で遊ぶことができる子供用三輪車の荷台を提供することである。
【０００７】
この発明の他の目的は、子供にとって、様々な方法で遊ぶことができる荷台を備えた子供用三輪車を提供することである。
【課題を解決するための手段】
【０００８】
この発明に係る子供用三輪車の荷台は、子供用三輪車の後方に設けられる。子供用三輪車の荷台は、平板状の底板部と、底板部の前方側側面から上方向に延びる支持部と、底板部上に載置され、支持部に対して着脱自在であって、その内部に荷物を収納可能な鞄部とを備える。
【０００９】
このような子供用三輪車の荷台は、内部に荷物を収納可能な鞄部を備える構成であり、この鞄部は底板部上に載置され、支持部に対して着脱自在であるため、子供にとって、鞄部を子供用三輪車に取り付けた状態で遊ぶことができると共に、鞄部を子供用三輪車から取り外して、鞄部のみで遊ぶこともできる。その結果、子供にとって、様々な方法で遊ぶことができる。
【００１０】
好ましくは、鞄部には、前方側側面にベルト部が取り付けられており、鞄部は、ベルト部と鞄部の前方側側面とで支持部を挟むことによって、支持部に鞄部を取り付ける。
【００１１】
さらに好ましくは、ベルト部には、マジックテープ（登録商標）の一方側の部材が取り付けられており、鞄部の前方側側面には、マジックテープの他方側の部材が取り付けられており、支持部を挟んでマジックテープの一方側の部材と他方側の部材とを貼り合せることにより、支持部に鞄部を取り付ける。こうすることにより、簡易な方法で鞄部を着脱することができる。
【００１２】
この発明の他の局面においては、子供用三輪車の後方に設けられる荷台を有する子供用三輪車に関する。荷台は、平板状の底板部と、底板部の前方側側面から上方向に延びる支持部と、底板部上に載置され、支持部に対して着脱自在であって、その内部に荷物を収納可能な鞄部とを備える。
【００１３】
このような子供用三輪車は、荷台において、内部に荷物を収納可能な鞄部を備える構成であり、この鞄部は底板部上に載置され、支持部に対して着脱自在であるため、子供にとって、鞄部を子供用三輪車に取り付けた状態で遊ぶことができると共に、鞄部を子供用三輪車から取り外して、鞄部のみで遊ぶこともできる。その結果、子供にとって、様々な方法で遊ぶことができる。
【発明の効果】
【００１４】
この発明に係る子供用三輪車の荷台は、内部に荷物を収納可能な鞄部を備える構成であり、この鞄部は底板部上に載置され、支持部に対して着脱自在であるため、子供にとって、鞄部を子供用三輪車に取り付けた状態で遊ぶことができると共に、鞄部を子供用三輪車から取り外して、鞄部のみで遊ぶこともできる。その結果、子供にとって、様々な方法で遊ぶことができる。
【００１５】
また、この発明に係る子供用三輪車は、荷台において、内部に荷物を収納可能な鞄部を備える構成であり、この鞄部は底板部上に載置され、支持部に対して着脱自在であるため、子供にとって、鞄部を子供用三輪車に取り付けた状態で遊ぶことができると共に、鞄部を子供用三輪車から取り外して、鞄部のみで遊ぶこともできる。その結果、子供にとって、様々な方法で遊ぶことができる。
【図面の簡単な説明】
【００１６】
【図１】この発明の一実施形態に係る子供用三輪車を示す側面図である。
【図２】子供用三輪車を後方から見た図である。
【図３】鞄部を示す拡大図である。
【図４】図１に示す子供用三輪車のうち、荷台のみを前方向から見た斜視図である。
【図５】鞄部にスナップボタンを取り付けた例を示す図である。
【図６】図１に示す子供用三輪車のうち、荷台のみを前方向から見た斜視図であって、図４に対応する図である。
【図７】特許文献１に開示の子供用三輪車に備えられた荷台を示す図である。
【発明を実施するための形態】
【００１７】
以下、図面を参照して、この発明の一実施形態に係る子供用三輪車の荷台について説明する。図１は、この発明の一実施形態に係る子供用三輪車１０を示す側面図である。なお、本明細書中において、三輪車の進行方向およびその逆の方向を前後方向とし、水平方向であって前後方向に直交する方向を左右方向とし、鉛直方向であって前後方向に直交する方向を上下方向とする。図２は、子供用三輪車１０を後方から見た図である。なお、図１中の矢印Ａで前後方向を示し、図１中の矢印Ｂで上下方向を示し、図２中の矢印Ｃで左右方向を示している。そして、図１においては、後述する鞄部５２を底板部３０に載置した場合を示しており、図２においては、鞄部５２を底板部３０に載置しない場合を示している。
【００１８】
図１および図２を参照して、子供用三輪車１０は、前方に位置する前輪１１と、後方に位置する一対の後輪１２ａ，１２ｂと、前輪１１と後輪１２ａ，１２ｂの間に位置し、子供が座るサドル１３と、サドル１３の後端に設けられる背凭れ２３と、サドル１３に座る子供の落下を防止するガード１５と、前輪１１の上方に位置し、子供が握る一対のグリップ１８ａ、１８ｂと、前後方向に延びるフレーム１４と、フレーム１４の前方でフレーム１４に連結固定される前方フレーム２２と、前輪１１の車軸の左右両端に固定され、子供が足で漕ぐことによって前輪１１を回転させるペダル１６と、前輪１１の上方側を覆うようにして設けられる泥除け１７と、フレーム１４の下方に設けられ、子供が足を載せる足載せステップ１９と、背凭れ２３の後方に設けられ、長さを調整可能であって、保護者が子供用三輪車１０を手押し等するための押手棒２０と、一対の後輪１２ａ，１２ｂの間に位置し、荷物等を載置するための荷台２１とを備える。
【００１９】
フレーム１４は、サドル１３の下方側を固定する主フレーム１４ａと、主フレーム１４ａの後方で、左右両側に二股に分かれて、一対の後輪１２ａ，１２ｂの車軸２４に連結される一対の後方フレーム１４ｂ，１４ｃとを備える。主フレーム１４ａおよび後方フレーム１４ｂ，１４ｃは、前後方向に対して、所定の角度傾斜して設けられている。
【００２０】
前方フレーム２２は、上下方向に延び、上端に一対のグリップ１８ａ，１８ｂを保持され、下端に前輪１１の車軸を固定される。グリップ１８ａ，１８ｂ、および前輪１１は、前方フレーム２２と共に、左右方向に所定の角度回動可能である。
【００２１】
サドル１３は、例えばレザー製の座部１３ａと、座部１３ａの下方側を覆うようにして設けられる枠部１３ｂとを備える。枠部１３ｂは、主フレーム１４ａに固定されている。また、枠部１３ｂは、座部１３ａの前端から後端に向かって延び、さらに座部１３ａの後端で上方向に延びるように設けられている。すなわち、枠部１３ｂのうち、上方向に延びる部分が背凭れ２３を構成することとなる。
【００２２】
ガード１５は、サドル１３の前方に位置して、その下端がフレーム１４に固定され、上下方向に延びる支持棒１５ａと、支持棒１５ａの上端部から左右両側に延び、サドル１３に座った子供を取り囲むようにして保護する円弧状の囲部１５ｂとを備える。囲部１５ｂは、支持棒１５ａを中心として、左右方向、すなわち、背凭れ２３に近づく方向および背凭れ２３から遠ざかる方向に、所定の角度回動可能である。そして、囲部１５ｂは、背凭れ２３に近づいた際、背凭れ２３に連結可能になっている。なお、図においては、囲部１５ｂが背凭れ２３に連結された状態を示している。
【００２３】
ここで、荷台２１について詳細に説明する。
【００２４】
荷台２１は、所定の厚みを有し平板状の底板部３０と、底板部３０の前方側側面３０ａから上方向に延びるように設けられる支持部３１と、底板部３０上に載置される鞄部５２とを備える。
【００２５】
底板部３０は、後方フレーム１４ｂおよび後方フレーム１４ｃの間に位置し、上方から見た場合の形状が左右方向に長い略長方形状であって、一対の後輪１２ａ，１２ｂの車軸２４がその中央を貫通するようにして設けられている。
【００２６】
支持部３１は、底板部３０の前方側側面３０ａの左端部および右端部から上方向に延びる一対の縦棒部３１ｂ，３１ｃと、一対の縦棒部３１ｂ，３１ｃを連結する横棒部３１ａとを備える。
【００２７】
図３は、鞄部５２を示す拡大図である。図１〜図３を参照して、鞄部５２は、略直方形状であって、下方側に底面５９を有し、上方側が開口している。そして、この上方側の開口には、蓋となる巾着部６０が設けられている。鞄部５２は、巾着部６０を開くと鞄部５２の内部に荷物を出し入れ可能となり、巾着部６０を絞ることによって、開口を閉じることとなる。すなわち、鞄部５２は、開閉可能な袋状になっており、内部に荷物を収納可能である。鞄部５２は、底板部３０に載置可能な大きさであり、例えば、底板部３０の長手方向長さが底面５９の幅方向長さとほぼ同じであり、底板部３０の短手方向長さが底面５９の奥行き長さとほぼ同じである。また、鞄部５２は、例えば、所定の厚みを有する硬い布製である。
【００２８】
また、鞄部５２には、前方側側面５４ａに所定の長さを有する取っ手５３ａが設けられている。取っ手５３ａは、所定の幅を有する紐状のもので構成されており、その紐の両端は、前方側側面５４ａの上端に縫い付けられている。また、後方側側面５４ｂにおいても同様に、取っ手５３ｂが設けられている。なお、鞄部５２の前方側側面５４ａとは、鞄部５２を底板部３０上に載置した際に、前方側に位置する面を指し、鞄部５２の後方側側面５４ｂとは、鞄部５２を底板部３０上に載置した際に、後方側に位置する面を指す。
【００２９】
また、鞄部５２の後方側側面５４ｂには、図示はしないが、ポケットが設けられている。ポケットは、メッシュ状の布製であって、鞄部５２の後方側側面５４ｂの上下方向中央部に設けられている。
【００３０】
ここで、鞄部５２の前方側側面５４ａには、ベルト部５７が設けられている。ベルト部５７は、前方側側面５４ａの下半分を覆うようにして設けられている。ベルト部５７は、例えば、鞄部５２の前方側側面５４ａの布と同じ布製であって、異なる色で構成されている。ベルト部５７は、左右方向両端部５７ａ，５７ｂのみが前方側側面５４ａと縫い合わせられ、上下方向両端部５７ｃ，５７ｄは前方側側面５４ａと縫い合わせられていない。したがって、前方側側面５４ａとベルト部５７とで、上下方向に貫通する貫通孔を構成することとなる。
【００３１】
そして、鞄部５２の前方側側面５４ａのうち、ベルト部５７によって覆われる部分の下方側には、マジックテープ（登録商標）を構成するマジックテープの一方側の部材である雄マジックテープ５５ａが取り付けられている。そして、ベルト部５７には、この雄マジックテープ５５ａに対応するものであり、マジックテープの他方側の部材である雌マジックテープ５５ｂが、対向するようにして、取り付けられている。マジックテープは、左右方向に延びるように取り付けられており、所定の幅を有する。マジックテープは、支持部３１の横棒部３１ａ、一対の縦棒部３１ｂ，３１ｃおよび底板部３０で囲まれた部分の大きさより小さい大きさである。
【００３２】
ここで、鞄部５２を底板部３０上に載置して、子供用三輪車１０を使用する場合について説明する。図４は、図１に示す子供用三輪車１０のうち、荷台２１のみを前方向から見た斜視図である。図４を参照して、鞄部５２を底板部３０上に載置して、子供用三輪車１０を使用する場合には、縦棒部３１ｂ，３１ｃと横棒部３１ａとを含む支持部３１を、鞄部５２の前方側側面５４ａとベルト部５７との間に位置するように、前方側側面５４ａとベルト部５７とで構成される貫通孔に支持部３１が差し込まれるよう、上方から鞄部５２を底板部３０上に載置する。すなわち、支持部３１を鞄部５２の前方側側面５４ａとベルト部５７とで挟むようにして、上方から鞄部５２を底板部３０上に載置する。
【００３３】
このとき、雄マジックテープ５５ａは、支持部３１の横棒部３１ａ、一対の縦棒部３１ｂ，３１ｃおよび底板部３０で囲まれた部分に位置するように載置される。そして、このような状態で、鞄部５２の前方側側面５４ａの雄マジックテープ５５ａとベルト部５７の雌マジックテープ５５ｂとを貼り合せる。そうすると、貼り合せたマジックテープが、支持部３１の横棒部３１ａ、一対の縦棒部３１ｂ，３１ｃおよび底板部３０で囲まれた部分に位置することとなり、保護者等が、鞄部５２を持ち上げようとしても、貼り合せたマジックテープが支持部３１の横棒部３１ａに引っ掛かることとなる。このようにして、鞄部５２を支持部３１に取り付けて固定する。
【００３４】
そして、鞄部５２のみで使用する場合には、貼り合せた雄マジックテープ５５ａと雌マジックテープ５５ｂとをはがす。そうすると、鞄部５２は支持部３１から取り外すことが可能となる。
【００３５】
すなわち、鞄部５２は、支持部３１に対して着脱自在に設けられている。
【００３６】
このように、子供用三輪車１０の荷台２１は、内部に荷物を収納可能な鞄部５２を備える構成であり、この鞄部５２は底板部３０上に載置され、支持部３１に対して着脱自在であるため、子供にとって、鞄部５２を子供用三輪車１０に取り付けた状態で遊ぶことができると共に、鞄部５２を子供用三輪車１０から取り外して、鞄部５２のみで遊ぶこともできる。その結果、子供にとって、様々な方法で遊ぶことができる。
【００３７】
また、このような子供用三輪車１０は、荷台２１において、内部に荷物を収納可能な鞄部５２を備える構成であり、この鞄部５２は底板部３０上に載置され、支持部３１に対して着脱自在であるため、子供にとって、鞄部５２を子供用三輪車１０に取り付けた状態で遊ぶことができると共に、鞄部５２を子供用三輪車１０から取り外して、鞄部５２のみで遊ぶこともできる。その結果、子供にとって、様々な方法で遊ぶことができる。
【００３８】
なお、上記の実施の形態においては、鞄部５２にマジックテープを取り付ける例について説明したが、これに限ることなく、鞄部にスナップボタンを取り付けてもよい。図５は、鞄部３２にスナップボタンを取り付けた例を示す図である。図５を参照して、鞄部３２は、略直方形状であって、下方側に底面３９を有し、上方側が開口しており、この開口から鞄部３２の内部に荷物を出し入れ可能である。
【００３９】
そして、鞄部３２は、上記の実施形態と同様に、取っ手３３ａ，３３ｂを有し、鞄部３２の取っ手３３ａの中央部には、スナップボタンを構成する雄スナップボタン３５ａが取り付けられている。そして、この雄スナップボタン３５ａに対応する雌スナップボタン３５ｂが、前方側側面３４ａに取り付けられている。また、鞄部３２の他方側の取っ手３３ｂの中央部には、スナップボタンを構成する雌スナップボタン３６ｂが取り付けられている。そして、この雌スナップボタン３６ｂに対応する雄スナップボタン３６ａが、後方側側面３４ｂに取り付けられている。すなわち、一方側の取っ手３３ａと他方側の取っ手３３ｂとで、スナップボタンを留め合わせることができるようになっている。
【００４０】
また、鞄部３２の前方側側面３４ａには、上記の実施形態と同様に、ベルト部３７が設けられている。ベルト部３７は、前方側側面３４ａの下半分を覆うようにして設けられている。
【００４１】
そして、上記した前方側側面３４ａに取り付けられている雌スナップボタン３５ｂは、ベルト部３７で覆われる部分に設けられており、ベルト部３７のうち、雌スナップボタン３５ｂに対向する部分には、貫通孔３７ａが設けられている。この貫通孔３７ａには、ハトメ３８が設けられている。
【００４２】
ここで、鞄部３２を底板部３０上に載置して、子供用三輪車１０を使用する場合について説明する。図６は、図１に示す子供用三輪車１０のうち、荷台２１のみを前方向から見た斜視図であって、図４に対応する図である。図６を参照して、鞄部３２を底板部３０上に載置して、子供用三輪車１０を使用する場合には、取っ手３３ａの雄スナップボタン３５ａと前方側側面３４ａの雌スナップボタン３５ｂとを留め合わせる。具体的には、雌スナップボタン３５ｂが、支持部３１の横棒部３１ａ、一対の縦棒部３１ｂ，３１ｃおよび底板部３０で囲まれた部分に位置するように載置される。そして、支持部３１の横棒部３１ａが、取っ手３３ａと前方側側面３４ａのベルト部３７との間に位置するように、取っ手３３ａを上方側から前方側に向かって回しこみ、雄スナップボタン３５ａと雌スナップボタン３５ｂとを留め合わせる。すなわち、取っ手３３ａと前方側側面３４ａとで支持部３１の横棒部３１ａを挟む。このようにして、鞄部３２を取っ手３３ａにより支持部３１に取り付けて固定する。
【００４３】
そして、鞄部３２のみで使用する場合には、留めた雄スナップボタン３５ａと雌スナップボタン３５ｂとを外す。そうすると、鞄部３２は支持部３１から取り外されることとなる。
【００４４】
なお、鞄部３２を底板部３０に載置する際に、上記の実施形態と同様に、支持部３１を鞄部３２の前方側側面３４ａとベルト部３７とで挟むようにして、上方から鞄部３２を底板部３０上に載置し、その後、取っ手３３ａの雄スナップボタン３５ａと前方側側面３４ａの雌スナップボタン３５ｂとを留め合わせてもよい。
【００４５】
また、スナップボタンに限ることなく、例えば、磁石であってもよいし、取っ手にボタンホールを設け、ベルト部にボタンを取り付けることとしてもよい。すなわち、一方側の部材と他方側の部材とを連結および離間可能とする部材であればよい。
【００４６】
なお、上記の実施の形態においては、鞄部５２，３２が着脱可能である例について説明したが、例えば、通常は、鞄部５２，３２を子供用三輪車１０に取り付けた状態で遊ぶこととし、必要に応じて、鞄部５２，３２を取り外すこととしてもよい。
【００４７】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００４８】
この発明は、子供用三輪車に有効に用いられる。
【符号の説明】
【００４９】
１０  子供用三輪車、１１  前輪、１２ａ，１２ｂ  後輪、１３  サドル、１４  フレーム、１４ａ  主フレーム、１４ｂ，１４ｃ  後方フレーム、１５  ガード、１５ａ  支持棒、１５ｂ  囲部、１６  ペダル、１７  泥除け、１８ａ，１８ｂ  グリップ、１９  足載せステップ、２０  押手棒、２１  荷台、２２  前方フレーム、２３  背凭れ、２４  車軸、３０  底板部、３０ａ  側面、３１  支持部、３１ａ  横棒部、３１ｂ，３１ｃ  縦棒部、３２，５２  鞄部、３３ａ，３３ｂ，５３ａ，５３ｂ  取っ手、３４ａ，３４ｂ，５４ａ，５４ｂ  側面、３５ａ，３６ａ  雄スナップボタン、３５ｂ，３６ｂ  雌スナップボタン、３７，５７  ベルト部、３８  ハトメ、３９，５９  底面、５５ａ  雄マジックテープ、５５ｂ  雌マジックテープ、５７ａ，５７ｂ，５７ｃ，５７ｄ  端部、６０  巾着部。
【図１】
2012106594.tif 000003
【図２】
2012106594.tif 000004
【図３】
2012106594.tif 000005
【図４】
2012106594.tif 000006
【図５】
2012106594.tif 000007
【図６】
2012106594.tif 000008
【図７】
2012106594.tif 000009